(57)【要約】【課題】  見守られる高齢者に対して緊張感や拘束感を感じさせることなく、健康状態を事前にチェックでき、しかも、家族を気遣うような健康をテーマにしたコミュニケーションを図ることができるようにする。【解決手段】    上記処理手段１は、入力手段４から入力された第１の計測期間とこの第１の計測期間より長い期間に設定された第２の計測期間とが入力されたときに、それら第１，２の計測期間を記憶部２に記憶させる機能と、排泄物識別手段Ｄから入力された排便信号に基づいて第１、第２の計測期間内の排便回数を特定し、この特定した排便回数を第１、第２の計測期間に対応付けて出力する機能とを備えている。【選択図】  図４
2015011433.tif 000002
【特許請求の範囲】
【請求項１】
便器に排便された被検者の便もしくは尿を識別する排泄物識別手段と、
記憶部を備えるとともに上記排泄物識別手段に接続した処理手段と、
上記処理手段に必要なデータを入力する入力手段と
を備え、
上記処理手段は、
上記入力手段から入力された第１の計測期間とこの第１の計測期間より長い期間に設定された第２の計測期間とが入力されたときに、それら第１，２の計測期間を記憶部に記憶させる機能と、
排泄物識別手段から入力された排便信号に基づいて第１、第２の計測期間内の排便回数を特定し、この特定した排便回数を第１、第２の計測期間に対応付けて出力する機能と
を備えた健康情報共有システム。
【請求項２】
上記処理手段は、
上記第１の計測期間内における上記排便回数を基準にした正常判定基準回数及び下痢判定基準回数と、上記第２の計測期間における上記排便回数に基づいた便秘判定基準回数とが上記入力手段から入力されたとき、それら正常判定基準回数、下痢判定基準回数及び便秘判定基準回数のそれぞれを上記記憶部に記憶させる機能と、
上記第１の計測期間内における上記特定された排便回数と、上記記憶部に記憶された上記正常判定基準回数とを比較して正常判定信号を出力する機能と、
上記第１の計測期間内における上記特定された排便回数と、上記記憶部に記憶された上記下痢判定排便回数とを比較して下痢判定信号を出力する機能と、
上記第２の計測期間内における上記特定された排便回数と、上記記憶部に記憶された便秘判定排便回数とを比較して便秘判定信号を出力する機能と
を備えた請求項１に記載した健康情報共有システム。
【請求項３】
上記処理手段は、
第１，２の計測期間とは別の夜間頻尿判定時間帯及びその夜間頻尿判定時間帯内における夜間頻尿判定基準回数とが上記入力手段から入力されたとき、それら夜間頻尿判定時間帯及び夜間頻尿判定基準回数のそれぞれを上記記憶部に記憶させる機能と、
排泄物識別手段から入力された排尿信号に基づいて排尿回数を特定する機能と
を備えた請求項１又は２に記載した健康情報共有システム。
【請求項４】
上記処理手段は、
上記夜間頻尿判定時間帯における上記特定された排尿回数と、上記記憶部に記憶された夜間頻尿判定基準回数とを比較して夜間頻尿判定信号を出力する機能を備えた
請求項３に記載した健康情報共有システム。
夜間頻尿の判定を行なって、
判定結果を出力する健康情報共有システム。
【発明の詳細な説明】
【技術分野】
【０００１】
この発明は、例えば、高齢者の健康情報を家族で共有するための健康情報共有システムに関する。
【背景技術】
【０００２】
高齢者を見守るためのシステムは、従来からいろいろ提案されているが、そのほとんどが、特許文献１に示すように、高齢者の生活リズムをパターン化してその行動を監視しながら、生活リズムの異変や異常を判定し、異変や異常が発生したときにそれを所定の人や施設に通報するシステムである。
また、高齢者の健康状態を医療的な見地から判定するために、例えば体温、血圧あるいは脈拍などの人体の情報を検出して、それら情報に基づいて、高齢者の健康状態を医療的な見地から見守るシステムも従来から知られている。
【先行技術文献】
【特許文献】
【０００３】
【特許文献１】特開２００７−２６５０１７号公報
【発明の概要】
【発明が解決しようとする課題】
【０００４】
上記のようにした従来のシステムでは、高齢者から見ると、見守られているという安心感よりも、いつも監視されているという緊張感や拘束感をともなうという問題があった。
また、高齢者に異変や異常が発生したときに、所定の人又は施設に通報するとしても、高齢者の場合には、異変や異常を検知したときには、適切な処置が間に合わないこともあるので、例えば、遠隔地にいる見守り側の人にとっては、必ずしも安心できる見守りシステムにはなっていないという問題があった。
また、体温、血圧、脈拍などの人体の情報を基にして高齢者を見守るシステムでは、高齢者が体温、血圧、脈拍を検出する煩わしさがあるだけでなく、それらを正確に検出するにも限界があるという問題があった。
【０００５】
いずれにしても、従来のシステムでは、通常の家庭生活の中で、家族を気遣うような健康をテーマにしたコミュニケーションを図りながら、高齢者をやさしく見守るためのシステムには程遠いという問題があった。
この発明の目的は、見守られる高齢者に対して緊張感や拘束感を感じさせることなく、健康状態を事前にチェックでき、しかも、家族を気遣うような健康をテーマにしたコミュニケーションを図ることができる健康情報共有システムを提供することである。
【課題を解決するための手段】
【０００６】
第１の発明は、便器に排便された被検者の便もしくは尿を識別する排泄物識別手段と、
記憶部を備えるとともに上記排泄物識別手段に接続した処理手段と、この処理手段に必要なデータを入力する入力手段とを備えている。
そして、上記処理手段は、上記入力手段から入力された第１の計測期間とこの第１の計測期間より長い期間に設定された第２の計測期間とが入力されたときに、それら第１，２の計測期間を記憶部に記憶させる機能と、排泄物識別手段から入力された排便信号に基づいて第１、第２の計測期間内の排便回数を特定し、この特定した排便回数を第１、第２の計測期間に対応付けて出力する機能とを備えた点に特徴を有する。
上記処理手段は、排泄物識別手段から入力された排便信号に基づいて排便回数を特定するが、その回数特定方法としては、例えば、排便信号の入力ごとにそれをカウントする方法と、排便信号の入力時を記憶してそれを計測する方法の両方を含むものである。
【０００７】
第２の発明は、上記処理手段が、上記第１の計測期間内における上記排便回数を基準にした正常判定基準回数及び下痢判定基準回数、上記第２の計測期間における上記排便回数に基づいた便秘判定基準回数が上記入力手段から入力されたとき、それら正常判定基準回数、下痢判定基準回数及び便秘判定基準回数のそれぞれを上記記憶部に記憶させる機能と、上記第１の計測期間内における上記特定された排便回数と、上記記憶部に記憶された上記正常判定基準回数とを比較して正常判定信号を出力する機能と、上記第１の計測期間内における上記特定された排便回数と、上記記憶部に記憶された上記下痢判定排便回数とを比較して下痢判定信号を出力する機能と、上記第２の計測期間内における上記特定された排便回数と、上記記憶部に記憶された便秘判定排便回数とを比較して便秘判定信号を出力する機能とを備えた点に特徴を有する。
【０００８】
第３の発明は、上記処理手段が、第１，２の計測期間とは別の夜間頻尿判定時間帯及びその夜間頻尿判定時間帯における夜間頻尿判定基準回数とが上記入力手段から入力されたとき、それら夜間頻尿判定時間帯及び夜間頻尿判定基準回数のそれぞれを上記記憶部に記憶させる機能と、排泄物識別手段から入力された排尿信号に基づいて排尿回数を特定する機能とを備えた点に特徴を有する。
【０００９】
第４の発明は、上記処理手段が、上記夜間頻尿判定期間内における上記特定された排尿回数と、上記記憶部に記憶された夜間頻尿判定基準回数とを比較して夜間頻尿判定信号を出力する機能を備えた点に特徴を有する。
【発明の効果】
【００１０】
第１の発明によれば、入力手段を介して、便秘及び下痢を判定するための第１の計測期間とそれよりも長い第２の計測期間とを設定できるようにしたので、個人差がある便秘や下痢の判定期間を、本人に合わせて適切に設定できる。したがって、これら第１，２計測期間内における排便回数によって、素人の第三者でも、高齢者が便秘状態にあるかあるいは下痢状態にあるかを判定することができる。
このように、家族の間で健康を気遣うテーマになりやすい便秘と下痢を適切に検出できるようにしたので、例えば、遠隔地にいる見守り人も、高齢者の健康状態を家庭の話題のようにして受け入れることができる。
【００１１】
したがって、便秘状態が長く続いたり、頻繁に下痢をしていたりしたとき、見守り人は高齢者に電話などで様子伺いができ、そこにコミュニケーションが芽生えることになる。このようにコミュニケーションが芽生えれば、自分が見守られているといった安心感を高齢者に与えられるとともに、見守り側の人との会話中に、高齢者が自身の健康についての現状を報告するきっかけにもなる。
さらに、毎日の自然な生活行為の中の排便によって健康状態を判定できるので、高齢者には、特に監視されているといった緊張感や拘束感を感じさせないだけでなく、素人である第三者も、健康状態を事前にチェックできる。
【００１２】
また、第２の発明によれば、正常判定基準回数、下痢判定基準回数及び便秘判定基準回数を、入力手段から入力してそれを記憶部に記憶させることができるので、個人差に応じた判定回数を自由に設定できる。したがって、個人差を勘案して、正常、下痢あるいは便秘状態を判定できる。
また、上記のように正常判定基準回数、下痢判定基準回数及び便秘判定基準回数を設定しているので、処理手段も正常、下痢あるいは便秘状態を機械的に判定できる。しかも、機械的な判定にもかかわらず、個人差を考慮した判定結果を得ることができる。
【００１３】
第３の発明によれば、入力手段を介して、夜間頻尿を判定するための夜間頻尿判定時間帯を設定できるようにしたので、個人差がある夜間頻尿の夜間頻尿判定時間帯を、本人に合わせて適切に設定できる。したがって、上記夜間頻尿判定時間帯における排尿回数によって、素人の第三者でも、高齢者が夜間頻尿の状態にあるか否かを判定できる。
【００１４】
第４の発明によれば、夜間頻尿判定基準回数を入力手段から入力して、それを記憶部に記憶させることができるので、個人差に応じた判定回数を自由に設定できる。したがって、個人差を勘案した夜間頻尿状態を判定できる。
また、上記のように夜間頻尿判定基準回数を設定しているので、処理手段も夜間頻尿状態を機械的に判定できる。しかも、機械的な判定にもかかわらず、個人差を考慮した判定結果を得ることができる。
さらに、第１〜４を総合した発明によれば、正常判定信号、便秘判定信号、下痢判定信号あるいは夜間頻尿判定信号のそれぞれを出力できるので、高齢者の健康状態をより適切に判定することができる。
【図面の簡単な説明】
【００１５】
【図１】図１はブロック図である。
【図２】図２は排泄物識別手段を示す概略図である。
【図３】図３は排便回数計測方法を示す説明図である。
【図４】図４はフローチャート図である。
【図５】図５は図３の計測方法とは別のカウント方法を示す説明図である。
【発明を実施するための形態】
【００１６】
この実施形態は、図１に示すように、コンピュータ等からなる処理手段１には、記憶部２及び暦データ記憶部３を接続している。なお、上記記憶部２及び暦データ記憶部３は、処理手段１に一体に設けてもよいし、処理手段１とは別に設けてもよい。
また、上記処理手段１には、当該処理手段１にデータを入力するための入力手段４と、処理手段１の処理データを出力する通信手段５とを接続している。そして、上記通信手段５は、通信ネット６を介して、見守り人側である家族側の端末７に接続されている。
【００１７】
さらに、上記処理手段１には、図示していない便器内に排泄された便あるいは尿を識別する排泄物識別手段Ｄを接続している。
上記排泄物識別手段Ｄは、上記便器に流す水を蓄える図示していないタンクに設けた洗浄ノブ８を利用したもので、この洗浄ノブ８は、便排出方向Ｃ１と尿排出方向Ｃ２との間で回動自在にするとともに、その先端に磁石９を設けている。さらに、上記洗浄ノブ８の回動終端に対応するそれぞれの位置に、上記処理手段１に接続したマグネットスイッチ１０，１１を設けている。
【００１８】
そして、上記一方のマグネットスイッチ１０は上記便排出方向Ｃ１のほぼ回動終端位置に設け、他方のマグネットスイッチ１１は上記尿排出方向Ｃ２のほぼ回動終端位置に設けている。したがって、洗浄ノブ８を便排出方向Ｃ１に回動して先端の磁石９がマグネットスイッチ１０に対応したとき、当該マグネットスイッチ１０がスイッチオンとなり、洗浄ノブ８を尿排出方向Ｃ２に回動して先端の磁石９がマグネットスイッチ１１に対応したとき、当該マグネットスイッチ１１がスイッチオンとなる。
【００１９】
上記のようにした洗浄ノブ８、磁石９及びマグネットスイッチ１０，１１で、上記排泄物識別手段Ｄを構成するものである。
そして、上記マグネットスイッチ１０，１１がスイッチオンするたびに、排泄物識別手段Ｄから処理手段１に排泄信号が入力されるが、このとき処理手段１は暦データ記憶部３を参照してその日時と、そのときの排泄信号が排便信号か排尿信号かを記憶部２に記憶させる。
なお、この発明における排泄物識別手段Ｄは、便か尿かを識別できればよく、必ずしも上記洗浄ノブ８を利用したものに限定されない。例えば、光センサーを利用して便と尿を識別したり、水洗の際の一回の水の量で識別したりするものが公知であるが、要は、便と尿とを識別できればどのような手段を用いてもよい。
【００２０】
一方、高齢者あるいはその親族などの見守り人は、入力手段４を介して、第１，２の計測期間、正常判定基準回数、下痢判定基準回数及び便秘判定基準回数のそれぞれを処理手段１に入力するとともに、処理手段１はそれらを記憶部２に記憶させる。
そして、上記第１の計測期間は、正常時の排便間隔を基準に定める。例えば、この実施形態では、１日１回の排便が正常であると考える人を基準にして、第１の計測期間を１日に設定し、正常判定基準回数を１回に定めている。また、下痢判定基準回数もこの第１の計測期間を基準にして、例えば３回以上というように設定している。
【００２１】
さらに、上記第２の計測期間は、第１の計測期間よりも長く設定するが、このときにも体調に影響する便秘の期間を基準に定める。そして、この第２の計測期間内において便秘と判定できる最小排便回数を便秘判定基準回数と設定する。なお、この実施形態では３日に１回の排便は便秘と感じるという人を基準に、上記第２の計測期間を３日に設定し、３日に１回しか排便がないときに便秘と判定できるように、上記便秘判定基準回数を１回に設定している。
【００２２】
ただし、上記第１，２の計測期間及び各判定基準回数は、本人の感覚で決めたり、医者などの意見を参考にしながら決めたり、さらには、すべて医者の指示に従って決めたりしてもよい。いずれにしても、上記第１，２の計測期間及び各判定基準回数を入力手段４から入力して自由に設定できるので、正常、下痢あるいは便秘などに個人差があったとしても、その個人差を勘案しながら正常、下痢あるいは便秘状態を判定できる。
【００２３】
また、高齢者である本人の睡眠時間帯を基準にした夜間頻尿判定時間帯を上記入力手段４から処理手段１に入力するとともに、処理手段１はその夜間頻尿判定時間帯のデータを記憶部２に記憶させる。しかも、この夜間頻尿判定時間帯のデータ入力と同時に、頻尿に対応する排尿回数を夜間頻尿判定基準回数として入力手段４から処理手段１に入力するとともに、処理手段１はその夜間頻尿判定基準回数を記憶部２に記憶させる。
【００２４】
そして、排泄物識別手段Ｄで排便が識別されると、それが処理手段１に入力されるとともに、処理手段１は暦データ記憶部３を参照してその日時を記憶部２に記憶させる。
上記のように記憶部２に排便の日時を記憶させたら、処理手段１は、図４に示すように、第１の計測期間あるいは第２の計測期間ごとに排便回数を計測する。
そして、処理手段１は、第１の計測期間における排便回数と正常判定基準回数とを比較し、その排便回数が正常判定基準回数と対応していれば、正常判定信号を通信手段５に出力する。正常判定信号を受信した通信手段５はこの正常判定信号を、通信ネット６を介して家族側の端末７に例えばメールで送信する。
【００２５】
一方、処理手段１が、上記第１の計測期間における排便回数と下痢判定基準回数とを比較し、その排便回数が下痢判定基準回数以上のとき、下痢判定信号を通信手段５に出力する。下痢判定信号を受信した通信手段５はこの下痢判定信号を、通信ネット６を介して家族側の端末７に送信する。
なお、上記の説明では、排便回数が下痢判定基準回数以上のときに下痢判定信号を出力するようにしたが、あらかじめ設定した下痢判定基準回数を超えたときに、下痢判定信号を出力するようにしてもよい。
【００２６】
さらに、上記処理手段１は、上記第２の計測期間における排便回数と便秘判定基準回数とを比較し、その排便回数が便秘判定基準回数以下であれば、便秘判定信号を通信手段５に出力する。便秘判定信号を受信した通信手段５はこの便秘判定信号を、通信ネット６を介して家族側の端末７に送信する。
なお、上記の説明では、排便回数が便秘判定基準回数以下のときに便秘判定信号を出力するようにしたが、あらかじめ設定した便秘判定基準回数を下回ったとき、便秘判定信号を出力するようにしてもよい。
【００２７】
次に、図４に示したフローチャート図を基に、全体の流れを説明する。
この実施形態のシステムが動作するときには、先ず、ステップＳ１において、第１，２の計測期間及び夜間頻尿計測時間帯を入力手段４から処理手段１に入力し、これら第１，２の計測期間及び夜間頻尿計測時間帯を事前に設定して記憶部２に記憶させておく。
ステップＳ２において、便秘でも下痢でもない正常な排便回数を基準にした正常排便判定基準回数、下痢と判定する下痢判定基準回数及び便秘と判定する便秘判定基準回数を入力手段４から処理手段１に入力し、これら基準回数を記憶部２に記憶させる。
【００２８】
ステップＳ３においては、上記第１，２計測期間あるいは夜間頻尿計測時間帯の計測を処理手段１がいつ実行するかを決めるために、その計測時刻を入力手段４から処理手段１に入力し、処理手段１はそれを記憶部２に記憶させる。なお、この計測時刻は、例えば、毎日午前９時には計測するというように決めるが、このように計測時刻があらかじめ決まっていれば、毎日午前９時には、データが更新されていることが見守り人にも分かる利便性がある。
【００２９】
次に、ステップＳ４に移行して、処理手段１は、排泄物識別手段Ｄから排泄信号が入力しているかどうかを判定する。排泄信号が入力していないときには、ステップＳ５に移行するが、排泄信号が入力されていればステップＳ６に移行する。
ステップＳ６において、処理手段１は、排泄信号が排便信号なのか排尿信号なのかを判定し、排便信号のときにはステップＳ７に移行し、排尿信号のときにはステップＳ８に移行する。
【００３０】
ステップＳ７において処理手段１は、暦データ記憶部３の日時データを参照して、その排便信号が入力した日時を記憶部２に記憶させるとともに、ステップＳ５に移行する。ステップＳ５において処理手段１は、暦データ記憶部３の日時データを参照して、現在時刻が計測時刻にあるかどうかを判定し、計測時刻になければステップＳ４に戻る。
ステップＳ５において処理手段１が計測時刻にあると判定したら、ステップＳ９に移行して、計測時刻からさかのぼって第１，２の計測期間を演算し、記憶部２に記憶されている排便回数を基準にして、上記演算した第１，２の計測期間における排便信号の入力回数を計測し、その計測結果を記憶部２に記憶させる。
なお、この実施形態では、常に、計測時刻からさかのぼって第１，２の計測期間を演算し、それら両計測期間内における排便回数を計測時刻に毎日計測する。
【００３１】
ステップＳ９において第１，２の計測期間内の排便回数を計測したら、処理手段１は、ステップＳ１０において第１の計測期間内における排便回数と正常判定基準回数とを比較し、その排便回数が正常判定基準回数に対応していれば正常と判定して、ステップＳ１１に移行して正常判定信号を出力する。
もし、排便回数が正常判定基準回数に対応していなければ正常ではないと判定して、ステップＳ１２に移行して、処理手段１は第１の計測期間内における上記排便回数と下痢判定基準回数とを比較し、その排便回数が下痢判定基準回数以上であれば下痢と判定し、ステップＳ１３に移行して下痢判定信号を出力する。
【００３２】
処理手段１は、上記ステップＳ１２において、下痢ではないと判定したら、ステップＳ１４に移行して、第２の計測期間内における排便回数と便秘判定基準回数とを比較し、その排便回数が便秘判定基準回数以下であれば便秘と判定し、ステップＳ１５に移行して便秘判定信号を出力する。
もし、上記排便回数が便秘判定基準回数以上であれば便秘気味と判定し、ステップＳ１６に移行して処理手段１は便秘気味信号を出力する。
【００３３】
一方、上記ステップＳ６を経由してステップＳ８に移行したとき、処理手段１は、暦データ記憶部３の日時データを参照して、上記排尿信号の入力時が、夜間頻尿判定時間帯にあるかどうかを判定する。処理手段１が、排尿信号の入力時が夜間頻尿判定時間帯にあると判定したとき、ステップＳ１７に移行して、処理手段１は上記排尿信号の入力時刻を記憶部２に記憶させるとともに、上記ステップＳ１８に移行する。
処理手段１が、上記排尿信号入力時が夜間頻尿判定時間帯にはないと判定したときには、ステップＳ１７をスルーしてステップＳ１８に移行する。
【００３４】
ステップＳ１８において処理手段１が、暦データ記憶部３のデータを参照して現在時刻があらかじめ設定した計測時刻にあるか否かを判定し、計測時刻にないと判定したときにはステップＳ４に戻る。
ステップＳ１８において処理手段１が計測時刻にあると判定したら、処理手段１は、ステップＳ１９において、上記夜間頻尿判定時間帯の排尿回数を計測する。そして、処理手段１は、ステップＳ２０において、上記夜間頻尿判定基準回数と上記排尿回数とを比較し、その排尿回数が夜間頻尿判定基準回数以上であれば頻尿と判定し、ステップＳ２１で頻尿判定信号を出力する。
上記排尿回数が夜間頻尿判定基準回数以下であれば、処理手段１は、ステップＳ２２において頻尿否定信号を出力する。
【００３５】
上記のようにして処理手段１から出力された各信号は、通信手段５から通信ネット６を介して、家族側の端末７に送信される。
したがって、家族側の端末７を所有する者は、高齢者の排便が正常であるか、あるいは頻尿の兆候がないかなどを判断できる。
なお、上記実施形態では、各種の判定基準回数を設定したが、これら判定基準回数を設定せずに、処理手段１から排便あるいは排尿回数のみを出力し、家族側の端末７には、この回数のみを送信するようにしてもよい。この場合には、正常、下痢あるいは便秘の判定を家族側の端末７を所有する者が自分で判断することになる。
【００３６】
いずれにしても、この実施形態によれば、入力手段４を介して、便秘及び下痢を判定するための第１の計測期間とそれよりも長い第２の計測期間とを設定できるようにしたので、個人差がある便秘や下痢の判定期間を、本人に合わせて適切に設定できる。したがって、これら第１，２計測期間内における排便回数によって、素人の第三者でも、高齢者が便秘状態にあるかあるいは下痢状態にあるかを判定することができる。
このように、家族の間で健康を気遣うテーマになりやすい便秘と下痢を適切に検出できるようにしたので、例えば、遠隔地にいる親族などの見守り人にも、親の健康状態を家庭の話題として受け入れることができる。
【００３７】
したがって、便秘状態が長く続いたり、頻繁に下痢をしていたりしたとき、見守り側の人は高齢者に電話などで様子伺いができ、そこにコミュニケーションが芽生えることになる。このようにコミュニケーションが芽生えれば、自分が見守られているといった安心感を高齢者に与えられるとともに、見守り側の人との会話中に、高齢者が自身の健康についての現状を報告するきっかけにもなる。
さらに、毎日の自然な生活行為の中の排便によって健康状態を判定できるので、高齢者には、特に監視されているといった緊張感や拘束感もないだけでなく、素人である第三者も、毎日の健康状態を事前にチェックできる。
【００３８】
また、正常判定基準回数、下痢判定基準回数及び便秘判定基準回数を、入力手段４から入力してそれを記憶部２に記憶させることができるので、個人差に応じた判定回数を自由に設定できる。したがって、個人差を勘案して、正常、下痢あるいは便秘状態を判定できる。
また、上記のように正常判定基準回数、下痢判定基準回数及び便秘判定基準回数を設定しているので、処理手段１も正常、下痢あるいは便秘状態を機械的に判定できる。しかも、機械的な判定にもかかわらず、個人差を考慮した判定結果を得ることができる。
【００３９】
さらに、入力手段４を介して、夜間頻尿を判定するための夜間頻尿判定時間帯を設定できるようにしたので、個人差がある夜間頻尿の夜間頻尿判定時間帯を、本人に合わせて適切に設定できる。したがって、上記夜間頻尿判定時間帯における排尿回数によって、素人の第三者でも、高齢者が夜間頻尿の状態にあるかあるいなかを判定することができる。
【００４０】
さらに、夜間頻尿判定基準回数を入力手段４から入力して、それを記憶部２に記憶させることができるので、個人差に応じた判定回数を自由に設定できる。したがって、個人差を勘案した夜間頻尿状態を判定できる。
また、上記のように夜間頻尿判定基準回数を設定しているので、処理手段１も夜間頻尿状態を機械的に判定できる。しかも、機械的な判定にもかかわらず、個人差を考慮した判定結果を得ることができる。
そして、全体的には、正常判定信号、便秘判定信号、下痢判定信号あるいは夜間頻尿判定信号のそれぞれを出力できるので、高齢者の健康状態をより適切に判定することができる。
【００４１】
なお、上記実施形態では、排便回数及び排尿回数について、排便あるいは排尿ごとに日時を記憶し、第１，２の計測期間ごとにそれらを計測するようにしたが、その計算方法はどのようなものであってもよい。要するに、第１の計測期間、第２の計測期間あるいは夜間頻尿判定時間帯のそれぞれにおいて、排便あるいは排尿を計算できるものであれば、特に計算方法は限定されない。
【００４２】
例えば、図５に示すように、第１の計測期間内の排便回数をカウントする第１のカウンターＣＮＴ１と第２の計測期間内の排便回数をカウントする第２のカウンターＣＮＴ２とを備えるとともに、第１の計測期間に対応させた期限を持ったタイマーＴ１と、第２の計測期間に対応させた期限を持ったタイマーＴ２とを備え、排便毎にタイマーＴ１，Ｔ２を起動させる。そして、これらカウンターＣＮＴ１，ＣＮＴ２は排便毎にカウントするが、上記タイマーＴ１，Ｔ２の期限が満了した時点で、各カウンターＣＮＴ１，ＣＮＴ２は当該タイマーの起動時の排便回数１を減算するようにしている。
【産業上の利用可能性】
【００４３】
一人暮らしの高齢者を見守るシステムとして最適である。
【符号の説明】
【００４４】
１      処理手段
２      記憶部
４      入力手段
Ｄ      排泄物識別手段
【図１】
2015011433.tif 000003
【図２】
2015011433.tif 000004
【図３】
2015011433.tif 000005
【図４】
2015011433.tif 000006
【図５】
2015011433.tif 000007